【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
少なくとも第１及び第２の周波数バンドで信号を同時に送信及び／又は受信することが可能な無線通信端末のエネルギ消費を削減する方法であって、
前記無線通信端末は、前記第１の周波数バンドで動作するＮ個（Ｎ≧１）の経路を有する第１の回路と、前記第２の周波数バンドで動作するＭ個（Ｍ≧１）の経路を有する第２の回路とを有し、前記第１及び第２の回路の各々はＮ個及びＭ個の電力増幅器をそれぞれ有するフロントエンドモジュールに結合され、前記フロントエンドモジュールはアンテナシステムに接続されており、当該方法は、
送信される及び／又は受信された信号を制御データにより抽出するステップと、
前記第１の周波数バンドにおけるバースト及び前記第２の周波数バンドにおけるバーストの送信の間に、競合の有無を検出するために送信時点を比較するステップと、
競合がなかった場合、抽出された制御データに従って、前記第１又は第２の周波数バンドの一方の信号を、他方の周波数バンドの前記フロントエンドモジュールの電力増幅器を介して送信し、該信号の周波数バンドの前記フロントエンドモジュールの電力増幅器を分離するステップと
を有する方法。
【請求項２】
競合がなかった場合又は前記電力増幅器が十分な帯域幅を有していた場合に、前記第１又は第２の周波数バンドの一方の前記信号を、前記他方の周波数バンドの前記フロントエンドモジュールの電力増幅器を介して伝送し、該信号の周波数バンドの前記フロントエンドモジュールの電力増幅器を分離する、請求項１に記載の方法。
【請求項３】
前記制御データは、送信される電力に関するＴＰＣ（送信電力制御）データ及びサービスの品質に関するＱｏＳ（サービス品質）データの中から選択される、請求項１又は２に記載の方法。
【請求項４】
前記第１の周波数バンドは５ＧＨｚの周波数バンドであり、前記第２の周波数バンドは２．４ＧＨｚの周波数バンドである、請求項１−３の何れか１項に記載の方法。
【請求項５】
２．４ＧＨｚの周波数バンドの信号が、５ＧＨｚの周波数バンドの前記フロントエンドモジュールの前記電力増幅器の少なくとも１つを通じて送信される、請求項１−４の何れか１項に記載の方法。
【請求項６】
前記第１及び第２の回路がＭＩＭＯ回路である、請求項１−５の何れか１項に記載の方法。
【請求項７】
ビデオ、オーディオ又はデータの信号を第１及び第２の周波数バンドで送信及び／又は受信することが可能な無線通信端末であって、
前記第１の周波数バンドで動作するＮ個（Ｎ≧１）の経路を有する第１の回路と、
前記第２の周波数バンドで動作するＭ個（Ｍ≧１）の経路を有する第２の回路とを有し、
前記第１及び第２の回路の各々はＮ個及びＭ個の電力増幅器をそれぞれ有するフロントエンドモジュールに結合され、前記フロントエンドモジュールはアンテナシステムに接続されており、当該無線通信端末は、
送信される及び／又は受信された信号を制御データから抽出する手段と、
前記第１の周波数バンドにおけるバースト及び前記第２の周波数バンドにおけるバーストの送信の間に、競合の有無を検出するために送信時点を比較する手段と、
競合がなかった場合、抽出された制御データに従って、前記第１又は第２の周波数バンドの一方の信号を、他方の周波数バンドの前記フロントエンドモジュールの電力増幅器を介して送信し、該信号の周波数バンドの前記フロントエンドモジュールの電力増幅器を分離する手段と
を有する無線通信端末。
【請求項８】
当該無線通信端末が、前記制御データを受信及び処理するための第１及び第２のＭＩＭＯ回路に入力が接続されたコマンド回路を有し、前記コマンド回路は、Ｍ＜ＮならばＭ個、Ｎ＜ＭならばＮ個のスイッチ回路を制御し、前記入力が前記第２のＭＩＭＯ回路のＭ個の経路の１つに接続されかつ出力が前記Ｍ個の電力増幅器の１つに接続され、他の出力は加算回路を介して前記Ｎ個の電力増幅器の１つに接続され、他の入力は前記ＭＩＭＯ回路の前記Ｎ個の経路の１つに接続されている、請求項７に記載の無線通信端末。
【請求項９】
２つの周波数バンドの信号を受信する前記フロントエンドモジュールの前記電力増幅器のうちの少なくとも１つがワイドバンド増幅器である、請求項７又は８に記載の無線通信端末。
【請求項１０】
請求項１−６の何れか１項に記載の方法を実行する請求項７−９の何れか１項に記載の無線通信端末。
【手続補正２】
【補正対象書類名】明細書
【補正対象項目名】００４６
【補正方法】変更
【補正の内容】
【００４６】
N＜Mであった場合、2.4GHzMIMO回路の電力増幅器のいくつかは5GHzチャネルのフロントエンドモジュールに接続され、これにより電力消費を削減できる。
以下、本願により教示される手段を例示的に列挙する。
（付記1）
少なくとも第1及び第2の周波数バンドで信号を同時に送信及び/又は受信することが可能な無線通信端末のエネルギ消費を削減する方法であって、
前記無線通信端末は、前記第1の周波数バンドで動作するN個(N≧1)の経路を有する第1の回路と、前記第2の周波数バンドで動作するM個(M≧1)の経路を有する第2の回路とを有し、前記第1及び第2の回路の各々はN個及びM個の電力増幅器をそれぞれ有するフロントエンドモジュールに結合され、個々のフロントエンドモジュールはアンテナシステムに接続されており、当該方法は、
送信される及び/又は受信された信号を制御データにより抽出するステップと、
前記第1の周波数バンドにおけるバースト及び前記第2の周波数バンドにおけるバーストの送信の間に、競合の有無を検出するために送信時点を比較するステップと、
競合がなかった場合、抽出された制御データに従って、前記第1又は第2の周波数バンドの一方の信号を、他方の周波数バンドの前記フロントエンドモジュールの電力増幅器を介して送信し、該信号の周波数バンドの前記フロントエンドモジュールの電力増幅器を分離するステップと
を有する方法。
（付記2）
競合がなかった場合又は前記電力増幅器が十分な帯域幅を有していた場合に、前記第1又は第2の周波数バンドの一方の前記信号を、前記他方の周波数バンドの前記フロントエンドモジュールの電力増幅器を介して送信し、該信号の周波数バンドの前記フロントエンドモジュールの電力増幅器を分離する、付記1に記載の方法。
（付記3）
前記制御データは、送信される電力に関する送信電力制御データ及びサービス品質に関するサービス品質データの中から選択されたものである、付記1又は2に記載の方法。
（付記4）
前記第1の周波数バンドは5GHzの周波数バンドであり、前記第2の周波数バンドは2.4GHzの周波数バンドである、付記1-3の何れか1項に記載の方法。
（付記5）
2.4GHzの周波数バンドの信号が、5GHzの周波数バンドの前記フロントエンドモジュールの前記電力増幅器の少なくとも1つを通じて送信される、付記1-4の何れか1項に記載の方法。
（付記6）
前記第1及び第2の回路がMIMO回路である、付記1-5の何れか1項に記載の方法。
（付記7）
ビデオ、オーディオ又はデータの信号を第1及び第2の周波数バンドで送信及び/又は受信することが可能な無線通信端末であって、
前記第1の周波数バンドで動作するN個(N≧1)の経路を有する第1の回路と、
前記第2の周波数バンドで動作するM個(M≧1)の経路を有する第2の回路とを有し、
前記第1及び第2の回路の各々はN個及びM個の電力増幅器をそれぞれ有するフロントエンドモジュールに結合され、個々のフロントエンドモジュールはアンテナシステムに接続されており、当該無線通信端末は、
送信される及び/又は受信された信号を制御データから抽出する手段と、
前記第1の周波数バンドにおけるバースト及び前記第2の周波数バンドにおけるバーストの送信の間に、競合の有無を検出するために送信時点を比較する手段と、
競合がなかった場合、抽出された制御データに従って、前記第1又は第2の周波数バンドの一方の信号を、他方の周波数バンドの前記フロントエンドモジュールの電力増幅器を介して送信し、該信号の周波数バンドの前記フロントエンドモジュールの電力増幅器を分離する手段と
を有する無線通信端末。
（付記8）
当該無線通信端末が、前記制御データを受信及び処理するための第1及び第2のMIMO回路に入力が接続されたコマンド回路を有し、前記コマンド回路は、M＜NならばM個、N＜MならばN個のスイッチ回路を制御し、前記入力が前記第2のMIMO回路のM個の経路の1つに接続されかつ出力が前記M個の電力増幅器の1つに接続され、他の出力は加算回路を介して前記N個の電力増幅器の1つに接続され、他の入力は前記MIMO回路の前記N個の経路の1つに接続されている、付記7に記載の無線通信端末。
（付記9）
2つの周波数バンドの信号を受信する前記フロントエンドモジュールの前記電力増幅器のうちの少なくとも1つがワイドバンド増幅器である、付記7又は8に記載の無線通信端末。
（付記10）
付記1-6の何れか1項に記載の方法を実行する付記7-9の何れか1項に記載の無線通信端末。